(57)【要約】【課題】  実務に即した練習作業、即ち鋏や剃刀による調髪練習作業、及び、ロッドが一つ一つ略水平に巻けるようになると共に、巻き終えた複数のロッドが略まっすぐ一列に並べて巻けるようになる練習作業が、容易に且つ安定した状態で行えるようにする。【解決手段】  支持装置５によって支持される整髪練習用人形首６を、練習作業しやすい位置に位置させる位置決め部材２０を備えた整髪練習用人形首６の支持装置５の取付具１０において、前記位置決め部材２０を、その基端部が被固定体としての椅子１に装着されると共に、その先端部が椅子１の後方に位置する水平軸部２０ａと、その下端部が水平軸部２０ａの先端部に連設されると共に、その上端部が椅子１の背もたれ部３の後方上部に位置する直立軸部２０ｂと、該直立軸部２０ｂの上端部に連設された前記支持装置５の取付部２０ｃとで一体に構成する。【選択図】    図１
0003110560.tif 000002
【実用新案登録請求の範囲】
【請求項１】
支持装置によって支持される整髪練習用人形首を、練習作業しやすい位置に位置させる位置決め部材を備えた整髪練習用人形首の支持装置の取付具において、
前記位置決め部材は、その基端部が椅子や机などの被固定体に装着されると共に、その先端部が被固定体の後方に位置する水平軸部と、その下端部が水平軸部の先端部に連設されると共に、その上端部が被固定体の後方上部に位置する直立軸部と、該直立軸部の上端部に連設された前記支持装置の取付部とから構成されてなることを特徴とする整髪練習用人形首の支持装置の取付具。
【請求項２】
位置決め部材の水平軸部の被固定体への装着部材が、被固定体としての机の天板、又は、椅子の座部や背もたれ部の少なくともいずれか一方に埋設された筒状の軸挿入部と、該軸挿入部に設けられた軸固定部とから構成されてなることを特徴とする請求項１に記載の整髪練習用人形首の支持装置の取付具。
【請求項３】
位置決め部材の水平軸部の被固定体への装着部材が、被固定体としての机の天板の下面、又は、椅子の座部の下面に着脱可能な平板状の固着部と、該固着部に設けられた筒状の軸挿入部と、該軸挿入部に設けられた軸固定部とから構成されてなることを特徴とする請求項１に記載の整髪練習用人形首の支持装置の取付具。
【請求項４】
装着部材の軸挿入部の開口端部が、キャップによって覆蔽されてなることを特徴とする請求項２又は３に記載の整髪練習用人形首の支持装置の取付具。
【請求項５】
位置決め部材の直立軸部の直立状態を微調整できるように、位置決め部材の水平軸部、及び、装着部材の軸挿入部の断面形状が円形状又は多角形状に形成されてなることを特徴とする請求項１乃至４のいずれか１項に整髪練習用人形首の支持装置の取付具。
【請求項６】
位置決め部材には、水平軸部と直立軸部との境界部位の角度を調整する角度調整部材、又は、直立軸部の高さを調整する高さ調整部材の少なくともいずれか一方が設けられてなることを特徴とする請求項１乃至５のいずれか１項に記載の整髪練習用人形首の支持装置の取付具。
【考案の詳細な説明】
【技術分野】
【０００１】
本考案は、椅子や机などの被固定体に装着された状態で、整髪練習用人形首の支持装置が取り付けられると共に、該支持装置によって支持された整髪練習用人形首の位置決めが行える整髪練習用人形首の支持装置の取付具に関する。
【背景技術】
【０００２】
従来のこの種の整髪練習用人形首の支持装置の取付具としては、椅子や机などの被固定体に装着される装着部と、該装着部に連設された環状の移動用フレーム部と、該移動用フレーム部の開口内部に摺動可能に設けられた整髪練習用人形首の支持装置の取付部とから構成されているものが公知になっている（例えば、特許文献１参照）。
【０００３】
そして、例えば、装着部を、被固定体（例えば机の天板）に装着し、取付部を移動用フレーム部の開口内部において前後方向又は上下方向に摺動させて、整髪練習用人形首（以下ウィッグという）の支持装置（以下クランプという）を所望に変位させた状態で、ウィッグの位置を迅速且つ容易に位置決めし、ウィッグの髪の毛の調髪をしたり、ロッドをウィッグの髪の毛に巻いたりする。
【０００４】
ところで、ロッドを人の髪の毛に巻く場合には、ロッドを略水平に巻くことが肝要になるが、人によって頭の形や大きさ、或いは、毛の生え方が異なるので、椅子に座っている人の頭に対してロッドを水平に巻く場合には、ロッドを水平に巻くための基準線が必要になる。この基準線としては、例えば、図２に示すように、鏡Ｍの設置されたテーブルＴの上面や床面であったりする。つまり、作業者は、テーブルＴの上面や床面を視認しながらロッドｒの水平状態を意識して巻くようになる。さらに、巻き終えた複数のロッドｒが略まっすぐ一列に並んでいなければならない。このため、作業者は、ロッドｒを巻く練習する際には、ウィッグやクランプの直立状態が絶対条件となり、これらの少しの振れが非常に気になるのである。
【０００５】
よって、ウィッグやクランプの直立状態の調整は勿論のこと、これらを支持する取付具においても直立状態の調整が重要になる。
【０００６】
加えて、ロッドｒを髪の毛に巻く際には、髪の毛をスプレーで噴霧して濡らした後、濡れた状態の髪の毛を指で挟んで後方に引っ張りぎみにしながらロッドｒを巻いていくため、クランプの安定支持が必須要件となる。したがって、取付具においては、クランプを安定支持できる強度（ロッドｒを巻く際の荷重に耐え得る支持強度）を確保する必要がある。
【０００７】
【特許文献１】特開平１１―１９４７０４号公報（第１―３頁、図１乃至図６）
【考案の開示】
【考案が解決しようとする課題】
【０００８】
しかしながら、従来の上記整髪練習用人形首の支持装置の取付具の場合には、取付部の前後方向及び上下方向の移動調整を可能にすることで、椅子や机などの被固定体への装着性を向上させているが、ウィッグやクランプの直立状態を、取付部の角度調整によって微調整できるような構成にはなっていない。
【０００９】
さらに、前後方向のわずかな移動距離によって調整された取付部の位置が、調髪の際、及び、ロッドを髪の毛に巻く際において、最適な位置となるのか不明確である。例えば、練習作業する際のウィッグと作業者との位置関係において、前後方向のわずかな位置調整が作業者に対してどのような効果をもたらすのか、前後方向の位置調整によって、どのように装着性が向上するのか不明確である。この位置調整によって得られる効果としては、例えば、髪の毛をスプレーで噴霧して濡らした際の椅子、机への滴下による傷みを防止することは考えられるがそのような記載事項はない。
【００１０】
一方、クランプの取付部の上下方向の位置調整の目的は理解できるが、クランプの取付部において、ロッドを巻く際の荷重に耐え得る支持強度が充分に確保されているか否かは不明確である。いずれの場合も、実務に即した練習作業を行うに際して充分な構成であるとは言い難い。
【００１１】
そこで、本考案は上記問題点に鑑み、実務に即した練習作業、即ち鋏や剃刀による調髪練習作業、及び、ロッドが一つ一つ略水平に巻けるようになると共に、巻き終えた複数のロッドが略まっすぐ一列に並べて巻けるようになる練習作業が、容易に且つ安定した状態で行える整髪練習用人形首の支持装置の取付具を提供することを目的とする。
【課題を解決するための手段】
【００１２】
上記課題を解決するために、本考案の整髪練習用人形首の支持装置の取付具は、請求項１に示す如く、支持装置によって支持される整髪練習用人形首を、練習作業しやすい位置に位置させる位置決め部材を備えた整髪練習用人形首の支持装置の取付具において、前記位置決め部材を、その基端部が椅子や机などの被固定体に装着されると共に、その先端部が被固定体の後方に位置する水平軸部と、その下端部が水平軸部の先端部に連設されると共に、その上端部が被固定体の後方上部に位置する直立軸部と、該直立軸部の上端部に連設された前記支持装置の取付部とから構成するようにしたものである。
【００１３】
したがって、位置決め部材の水平軸部、及び、直立軸部によって、整髪練習用人形首が被固定体の後方に且つ上方に迅速に位置決めできる。この位置においては、人の髪の毛をスプレーで噴霧して濡らした際の水滴が被固定体に滴下することがなく、例えば、机の上面、椅子の背もたれ部や座部を濡らすことがない。即ち、被固定体を水滴によって傷めることがない。
【００１４】
しかも、鋏や剃刀による調髪練習作業が安定した状態で行えることに加えて、ロッドを髪の毛に巻く際、例えば、椅子の前方に設置された鏡台の上面や床面の水平線を基準線とし視認できるため、実務に即した練習作業、即ちロッドを水平に巻くこと、巻き終えた複数のロッドを略まっすぐ一列に並べることの練習作業が安定した状態で行える。
【００１５】
さらに、髪の毛を後方に引っ張りぎみにして、ロッドを髪の毛に巻いても、位置決め部材の水平軸部、直立軸部、取付部が一体に構成された屈曲アームであるため、支持強度が確保されて整髪練習用人形首の安定した姿勢を維持した状態で練習作業できる。
【００１６】
なお、作業者の身長に合わせて高さ調整をする必要があるが、この高さ調整は被固定体の高さ調整機構によって成し得ることが可能である。
【００１７】
また、請求項２に示す如く、位置決め部材の水平軸部の被固定体への装着部材を、被固定体としての机の天板、又は、椅子の座部や背もたれ部の少なくともいずれか一方に埋設された筒状の軸挿入部と、該軸挿入部に設けられた軸固定部とから構成するようにしてもよい。
【００１８】
例えば、装着部材の筒状の軸挿入部を、机の天板、又は、椅子の背もたれ部や座部に埋設した場合には、位置決め部材の水平軸部を該軸挿入部に挿入するだけでよく、装着性が向上する。
【００１９】
また、軸挿入部を椅子の座部に埋設した場合は、座部が厚肉であるため、外観を損ねることなく容易に埋設できるという利点がある。一方、装着部材の軸挿入部を椅子の背もたれ部に埋設した場合は、位置決め部材の直立軸部の長さが短くなり、直立軸部の直立状態を調整しやすいという利点がある。この場合、装着部材の軸固定部が外観視されて椅子の美観を損なう場合もあるが、例えば、装着部材の軸固定部の収納凹部を、椅子の背もたれ部に着脱可能な枕に形成すれば、装着部材が外観視されるようなことがなく、椅子の美観を損なわない。
【００２０】
加えて、請求項３に示す如く、位置決め部材の水平軸部の被固定体への装着部材を、被固定体としての机の天板の下面、又は、椅子の座部の下面に着脱可能な平板状の固着部と、該固着部に設けられた筒状の軸挿入部と、該軸挿入部に設けられた軸固定部とから構成するのがよい。
【００２１】
既製の机の天板の下面、又は、椅子の座部の下面に容易に装着できるので、机や椅子の改良が不要になる。
【００２２】
さらに、請求項４に示す如く、装着部材の軸挿入部の開口端部を、キャップによって覆蔽することが望ましい。
【００２３】
この場合、装着部材の軸挿入部の開口端部がキャップによって隠蔽されることになり、外観上の見栄えを損ねることがなく、一つの被固定体を練習用と実務用とに兼用できる。
【００２４】
また、請求項５示す如く、位置決め部材の直立軸部の直立状態を微調整できるように、位置決め部材の水平軸部、及び、装着部材の軸挿入部の断面形状を円形状又は多角形状に形成することが好ましい。
【００２５】
よって、位置決め部材の直立軸部の直立状態を微調整できるようにしたので、整髪練習用人形首の直立状態が調整しやすくなる。
【００２６】
加えて、請求項６に示す如く、水平軸部と直立軸部との境界部位の角度を調整する角度調整部材、又は、直立軸部の高さを調整する高さ調整部材の少なくともいずれか一方を、位置決め部材に設けるようにしてもよい。
【００２７】
例えば、角度調整部材は、傾動可能な椅子の背もたれ部の角度に合わせて整髪練習用人形首を容易に位置決めできる。また、高さ調整部材は、高さ調整機構をもたない被固定体であっても、直立軸部の高さ調整部材によって、ウィッグの高さ調整が容易に行える。なお、いずれの調整部材もロッドを巻く際の荷重には充分に耐え得る強度は確保されているものとする。
【考案の効果】
【００２８】
以上説明したように、本考案によれば、整髪練習用人形首の位置を、位置決め部材の水平軸部と直立軸部とによって被固定体の後方上部（練習作業しやすい位置）に迅速に位置決めできるようにしたので、良好な作業環境を短時間で形成できる一方、被固定体を水滴などで傷めることなく、実践に即した練習が効果的に行える。
【００２９】
また、筒状の装着部材の軸挿入部を、机の天板、又は、椅子の座部や背もたれ部の少なくともいずれか一方に埋設するだけで、位置決め部材を容易に装着できる机や椅子を簡単に製作できる効果がある。
【００３０】
さらに、位置決め部材の水平軸部の被固定体への装着部材を、被固定体としての机の天板の下面、又は、椅子の座部の下面に着脱可能な平板状の固着部と、該固着部に設けられた筒状の軸挿入部と、該軸挿入部に設けられた軸固定部とから構成するようにしたので、既製の被固定体をそのまま使用できる。
【００３１】
加えて、装着部材の軸挿入部の開口端部を覆蔽するキャップを設けるようにすれば、１つの被固定体を練習用と実務用とに兼用するのに有効である。
【００３２】
また、位置決め部材の直立軸部の直立状態を微調整できるように、位置決め部材の水平軸部、及び、装着部材の軸挿入部の断面形状を円形状又は多角形状にしたので、位置決め部材の直立軸部の振れを矯正できるようになり、整髪練習用人形首の調整が迅速に行える効果がある。
【００３３】
さらに、角度調整部材を、位置決め部材の水平軸部と直立軸部との境界部位に設けたり、高さ調整部材を位置決め部材の直立軸部に設けるようにしたため、背もたれ部が傾動可能な椅子、或いは、高さ調整機構をもたない机や椅子に対応できる効果がある。
【考案を実施するための最良の形態】
【００３４】
本考案を実施するための最良の一実施形態につき、図１及び図２を参照して説明する。まず、本考案の整髪練習用人形首の支持装置の取付具は、図１に示すように、椅子１（被固定体）の座部２に設けられた装着部材１１と、該装着部材１１に支持された位置決め部材２０とから構成されている。なお、整髪練習用人形首（ウィッグ）６、及び、支持装置（クランプ）５の説明は省略する。また、装着部材１１及び位置決め部材２０の材質は、金属製又は合成樹脂製のいずれであってもよい。さらに、位置決め部材２０は、柱状、板状、筒状のいずれであってもよい。加えて、図示していないが、椅子１には高さ調整するための機構が設けられているものとする。
【００３５】
装着部材１１は、椅子１の座部２の後端部に埋設された軸挿入部１２と、後述する位置決め部材２０の水平軸部２０ａの軸挿入部１２への軸固定部１３とを備えている。軸挿入部１２は、その開口端部が椅子１の座部２の後端部の端面に位置し、図５（Ａ）に示すキャップ２１によって覆蔽されるようになっている。さらに、装着部材１１の軸固定部１３は、軸挿入部１２の周面の下側に螺合したねじ棒１４と、該ねじ棒１４の先端部に設けられた押さえ板１５とを有している。該押さえ板１５は、後述する位置決め部材２０の水平軸部２０ａの周面に圧接して、該水平軸部２０ａの水平支持と、鉛直方向に対する位置決め部材２０の直立軸部２０ｂの直立状態の調整とができるような構成になっている。加えて、装着部材１１の軸挿入部１２が椅子１の座部２に水平方向に埋設されているため、調髪した際の髪の毛の切り屑が装着部材１１の軸挿入部１２に入いらないようになっている。なお、図５（Ａ）において、２１ａは、キャップ２１に形成された環状の係止凸部、２２は、装着部１１の軸挿入部１２の開口端部に形成された係止凸部２１ａの係止凹部である。
【００３６】
位置決め部材２０は、屈曲されたアームからなり、その基端部が装着部材１１の軸挿入部１２によって略水平支持されると共に、その先端部が椅子１の背もたれ部３に対して後方に位置する水平軸部２０ａと、その下端部が水平軸部２０ａの先端部に連設されると共に、その上端部が椅子１の背もたれ部３の後方上部に位置する直立軸部２０ｂと、その前端部が直立軸部２０ｂの上端部に連設されると共に、その後端部が、整髪練習用人形首における練習作業がしやすい位置（作業者の手前）に位置するクランプ５の取付部２０ｃとを具備している。なお、本考案の整髪練習用人形首の支持装置の取付具は、机の天板、フレームで構成された作業台などにも適応できることは言うまでもない。
【００３７】
つぎに使用態様について説明する。まず、位置決め部材２０の水平軸部２０ａを、椅子１の座部２に埋設された筒状の装着部材１１の軸挿入部１２に挿入する。つぎに、位置決め部材２０の直立軸部２０ｂの直立状態を目視しながら、軸固定部１３のねじ棒１４によって位置決め部材２０の水平軸部２０ａを固定する。その後、クランプ５を位置決め部材２０の取付部２０ｃに取り付けて、ウィッグ５をクランプ６に挿嵌する。
【００３８】
この際、ウィッグ５は、椅子１の背もたれ部３の後方上部に、且つ、作業者の手前に位置することになる。したがって、ウィッグ５の髪の毛に噴霧してもその水滴が椅子１の座部２や背もたれ部３に滴下することはなく、練習作業によって椅子１の座部２や背もたれ部３を傷めることがない。
【００３９】
そして、図２に示すように、作業者は、水平なテーブルＴの上面や床面（基準線Ｈ）を目視しながらロッドｒが一つ一つ略水平に巻けるように練習すると共に、巻き終えた複数のロッドｒが略まっすぐ一列に並ぶように練習する。ロッドｒを巻く際、位置決め部材２０に荷重がかかっても位置決め部材２０のがたつきもなく、安定した状態で練習できる。
【００４０】
なお、前記実施形態の場合、装着部材１１の軸挿入部１２を椅子１の座部２に埋設したが、図３に示すように、椅子１の背もたれ部３の上部に埋設するようにしてもよい。この場合、位置決め部材２０の直立軸部２０ｂが短くなるため、該直立軸部２０ｂの直立状態の調整がしやすくなる。しかしながら、軸固定部１３のねじ棒１４が、椅子１の背もたれ部３の上部から突出するため、椅子１としての美観が損なわれる。そこで、椅子１の背もたれ部３の上部に着脱可能な枕部４を設け、さらに、複数のピン１６，…を椅子１の枕部４の下部に植設し、加えて、ねじ棒１４の収納凹部１７を枕部４の下部中央に形成する。そうするれば、椅子１の背もたれ部３の上部から突出したねじ棒１４を枕部４の収納凹部１７で隠蔽することができ、椅子１の美観が向上すると共に、一つの椅子１を練習作業と実務作業とに兼用できるようになる。
【００４１】
さらに、前記実施形態の場合、装着部材１１の軸挿入部１２を椅子１の座部２に埋設したが、図４に示すように、既製の椅子１の座部２の敷板２ａの下面に装着するようにしてもよい。該装着部材１１Ａは、例えば、平面視四角形の平板状の固着部１８と、該固着部１８の下面に溶着された断面円弧状、又は、コ字形状の軸挿入部１９と、該軸挿入部１９の側面及び下面にそれぞれ螺合した蝶ねじ１９ａ，１９ａ（軸固定部）とから構成されている。そして、装着部材１１Ａの固着部１８を椅子１の座部２の敷板２ａにねじ止めし、位置決め部材２０の水平軸部２０ａを、椅子１の座部２に取り付けた装着部材１１Ａの軸挿入部１９に挿入し、蝶ねじ１９ａ，１９ａによって位置決め部材２０の水平軸部２０ａを介して直立軸部２０ｂの位置を固定する。これによって、位置決め部材２０の水平軸部２０ａが略水平に支持されると共に、直立軸部２０ｂが略直立した状態で保持される。この場合、既製の椅子１を改良することなくそのまま使用できる。また、使用できる椅子１として、座部２及び背もたれ部３が薄肉のものを選択できる（図４参照）。なお、装着部材１１Ａの固着部１８と、位置決め部材２０の水平軸部２０ａとが一体に形成されてもよい。この場合、軸固定部としての蝶ねじ１９ａ，１９ａは不要になる。
【００４２】
加えて、前記実施形態の場合、位置決め部材２０の水平軸部２０ａ、直立軸部２０ｂ、取付部２０ｃは、角筒体、円筒体のいずれであってもよい。但し、角筒体の場合、角度調整できるような多角筒体であることが好ましい。この場合、位置決め部材２０の直立軸部２０ｂの角度調整がしやすく、所望の位置で固定しやすいという利点がある。一方、円筒体の場合、角筒体に比して外形線があまり強調されることがないので、直立軸部２０ｂの直立状態を調整しやすいという利点がある。
【００４３】
また、前記各実施形態の場合、位置決め部材２０の水平軸部２０ａと直立軸部２０ｂとを略直角に固定したが、図５（Ｂ）に示すような角度調整部材を、位置決め部材２０の水平軸部２０ａと直立軸部２０ｂとの境界部位に設けてもよい。該角度調整部材２５は、位置決め部材２０の直立軸部２０ｂの下端部に固着された回動軸２６と、水平軸部２０ａの先端部に突設された回動軸２６の支持片２７，２７と、回動軸２６及び支持片２７，２７を貫通した調整ねじ２８と、該調整ねじ２８に螺合したナット２９と、回動軸２６の両端部と支持片２７，２７との間にそれぞれ設けられた円板状のゴムブシュ３０，３０とを有している。そして、調整ねじ２８及びナット２９によって、支持片２７，２７がゴムブシュ３０，３０を介して回動軸２６の両端部の端面に圧接し、位置決め部材２０の直立軸部２０ｂを所望の位置で固定できる。即ち、位置決め部材２０の直立軸部２０ｂの角度調整が行える。この場合、位置決め部材２０の直立軸部２０ｂを、傾いた椅子１の背もたれ部３に合わせることができて見栄えがよい。また、調整ねじ２８及びナット２９の緊締によって、ゴムブシュ３０，３０が回動軸２６に圧接することで支持強度が確保されている。
【００４４】
さらに、図５（Ｃ）に示すような高さ調整部材３１を位置決め部材２０の直立軸部２０ｂに設けてもよい。該高さ調整部材３１は、位置決め部材２０の直立軸部２０ｂにおいて、大径の外筒３２と、該外筒３２に対して進退可能に設けられた小径の内筒３３と、外筒３２の先端部に形成されたねじ溝３４と、該ねじ溝３４に螺合すると共に、内面にテーパ部３５ａを有するナット３５と、該ナット３５の内部に設けられた略台錐形状のゴムブシュ３６とを備えている。そして、ナット３５を締め付けると、ナット３５が外筒３２側に若干移動することによって、ナット３５のテーパ部３５ａがゴムブシュ３６の周面を圧接し、ゴムブシュ３６の切れ目３６ａの両対向面が当接し、内筒３３を好みの位置で固定できるようになる。即ち、位置決め部材２０の直立軸部２０ｂの高さ調整が行える。この場合、作業者の身長に合わせてウィッグ６の高さを調整できる。また、ロッドｒを巻く際の荷重が位置決め部材２０にかかっても、直立軸部２０ｂの内筒３３の周面にゴムブシュ３６が圧接することで、ウィッグ６を安定した状態で支持できる。
但し、いずれの調整部材２５，３１の構成も図示に限定されるものではない。
【産業上の利用可能性】
【００４５】
本考案の整髪練習用人形首の支持装置の取付具は、理容師及び美容師の育成に大きく貢献できる。
【図面の簡単な説明】
【００４６】
【図１】本考案の一実施形態を示した整髪練習用人形首の支持装置の取付具の側面図である。
【図２】練習作業の状態を示した斜視図である。
【図３】他の実施形態を示した整髪練習用人形首の支持装置の取付具の側面図である。
【図４】さらに他の実施形態を示した整髪練習用人形首の支持装置の取付具の側面図である。
【図５】（Ａ）は、装着部材の軸挿入部の開口端部を覆蔽するキャップの側断面図、（Ｂ）は、角度調整部材の正面図、（Ｃ）は、高さ調整部材の断面図である。
【符号の説明】
【００４７】
１  椅子
２  座部
２ａ  敷板
３  背もたれ部
４  枕部
５  支持装置（クランプ）
６  整髪練習用人形首（ウィッグ）
１０  取付具
１１、１１Ａ  装着部材
１２、１９  軸挿入部
１３  軸固定部
１４  ねじ棒
１５  押さえ板
１６  ピン
１７  収納凹部
１８  固着部
１９ａ  蝶ねじ（軸固定部）
２０  位置決め部材
２０ａ  水平軸部
２０ｂ  直立軸部
２０ｃ  取付部
２１  キャップ
２１ａ  係止凸部
２２  係止凹部
２５  角度調整部材
２６  回動軸
２７  支持片
２８  調整ねじ
２９、３５  ナット
３０、３６  ゴムブシュ
３１  高さ調整部材
３２  外筒
３３  内筒
３４  ねじ溝
３５ａ  テーパ部
３６ａ  切れ目
Ｈ  水平線
Ｍ  鏡
ｒ  ロッド
Ｔ  テーブル
【図１】
0003110560.tif 000003
【図２】
0003110560.tif 000004
【図３】
0003110560.tif 000005
【図４】
0003110560.tif 000006
【図５】
0003110560.tif 000007